(57)【要約】【課題】反力を発生可能な集中操作スイッチを用い、表示装置の選択画面に表示される多くの選択項目の内容を乗員にとって分かり易いものにすること。【解決手段】制御装置５０の演算処理部５１は、指示器９０から要求信号を受けたとき、記憶部５２から読み出した所定の選択項目７４の表示位置情報と位置検出部２７Ａ，２７Ｂからの位置情報とに基づいて、所定の選択項目７４の表示位置に対応する位置まで操作部２１を移動させるための指令信号を反力発生部２５Ａ，２５Ｂに対して出力し、操作部２１の移動に伴い位置マーク７５が所定の選択項目７４の表示位置まで移動してきたとき、記憶部５２から読み出した選択項目７４についての案内情報を出力する。音声発生装置８０は、演算処理部５１から案内情報を入力し案内情報を音声で乗員に知らせる。【選択図】図１
2004262407.tif 000002
【特許請求の範囲】
【請求項１】
乗員によって位置を調節可能な操作部と、該操作部に連結し該操作部の位置を検出するための位置検出部と、前記操作部に連結し該操作部を任意の位置に移動させるための動力を発生可能な反力発生部とを有する入力装置、
乗員に対し車両用機器の動作を選択させるための選択画面を表示するとともに、前記選択画面上に、前記操作部の操作位置を示す位置マークを、前記位置検出部からの検出信号に基づいて決定される位置に表示する表示装置、
前記選択画面に対する操作方法についての説明を要求するために乗員によって操作される指示器、
前記選択画面に表示される複数の選択項目についての各案内情報と各選択項目の表示位置を示す表示位置情報とを予め対応付けて記憶する記憶部と、前記指示器から要求信号を受けたとき、前記記憶部から読み出した所定の選択項目の表示位置情報と前記位置検出部からの位置情報とに基づいて、前記所定の選択項目の表示位置に対応する位置まで前記操作部を移動させるための指令信号を前記反力発生部に対して出力し、該操作部の移動に伴い前記位置マークが前記所定の選択項目の表示位置まで移動してきたとき、前記記憶部から読み出した前記選択項目についての案内情報を出力する演算処理部とを有する制御装置、及び、
前記演算処理部から案内情報を入力し該案内情報を音声で乗員に知らせる音声発生装置
を備えることを特徴とする車両用表示操作装置。
【請求項２】
乗員によって位置を調節可能な操作部と、該操作部に連結し該操作部の位置を検出するための位置検出部と、前記操作部に連結し該操作部を任意の位置に移動させるための動力を発生可能な反力発生部とを有する入力装置、
乗員に対し車両用機器の動作を選択させるための選択画面を表示するとともに、前記選択画面上に、前記操作部の操作位置を示す位置マークを、前記位置検出部からの検出信号に基づいて決定される位置に表示する表示装置、
前記選択画面に対する操作方法についての説明を要求するために乗員によって操作される指示器、
前記選択画面に表示される複数の選択項目についての各案内情報と各選択項目の表示位置を示す表示位置情報とを予め対応付けて記憶する記憶部と、前記指示器から要求信号を受けたとき、前記記憶部から読み出した所定の選択項目の表示位置情報と前記位置検出部からの位置情報とに基づいて、前記所定の選択項目の表示位置に対応する位置まで前記操作部を移動させるための指令信号を前記反力発生部に対して出力し、該操作部の移動に伴い前記位置マークが前記所定の選択項目の表示位置まで移動してきたとき、前記記憶部から読み出した前記選択項目についての案内情報を出力する演算処理部とを有する制御装置、及び、
前記演算処理部から案内情報を入力し該案内情報を音声で乗員に知らせる音声発生装置
を備え、
さらに、前記制御装置の前記演算処理部は、前記音声発生装置により案内情報が知らされている途中で前記選択決定部が操作されたとき、前記車両用機器に対し、当該案内情報に対応する選択項目に該当する動作をさせるための指示を行う
ことを特徴とする車両用表示操作装置。
【発明の詳細な説明】
【０００１】
【発明の属する技術分野】
本発明は、車両用表示操作装置、詳しくは、乗員に対しナビゲーションシステム、オーディオ装置、エアコン装置など複数の車両用機器の動作を選択させるための選択画面を表示装置に表示するとともに、この選択画面から乗員が任意の選択項目を操作部を操作することによって選択すると、車両用機器に対してこの選択された選択項目に対応する動作をさせるための指示を行なう車両用表示操作装置に関する。
【０００２】
【従来の技術】
近年、ＩＴ化の促進、運転支援ニーズの高まりなどからエアコン装置、オーディオ装置、ナビゲーションシステムなど数多くの車両用機器を車両に搭載する傾向にあり、これに伴い、各車両用機器の動作を選択するための操作スイッチの数が増加することになる。しかし、多数の操作スイッチをインストルメントパネルに設けることは、インストルメントパネルのレイアウトを難しくし、また、乗員にとって操作スイッチの操作方法を分かりにくいものにする。このため、操作スイッチの数を減少させ操作し易いレイアウトを得る目的で、集中操作スイッチを用い、乗員に対しナビゲーションシステム、オーディオ装置、エアコン装置など複数の車両用機器の動作を選択させるための選択画面を表示装置に表示するとともに、この選択画面から乗員が任意の選択項目を集中操作スイッチを操作することによって選択すると、車両用機器に対してこの選択された選択項目に対応する動作をさせるための指示を行なう車両用表示操作装置が開発されている。
【０００３】
【発明が解決しようとする課題】
しかし、表示装置の選択画面の数は多く、また、各選択画面に表示される選択項目の数も多くなることから、これらの選択項目の内容が乗員にとって分かりにくくなるという問題がある。
【０００４】
ところで、集中操作スイッチ（入力装置）には、乗員の操作に対して反力を返すスイッチがあり、この種の反力を発生するスイッチとして、例えば図５に機構図として示す回転型スイッチ１がある。
【０００５】
図５に示す回転型スイッチ１は、ダイヤル（操作部）１１の軸部１２にギヤ１３を配設するとともにこのギヤ１３にＤＣモータ（反力発生部）１４によって回転駆動可能な他のギヤ１５を噛み合わせ、ロータリーエンコーダ（操作位置検出部）１６によって検出されるダイヤル１１の回転位置に応じてＤＣモータ１４を駆動し、ギヤ１３，１５を介してダイヤル１１に反力を発生させるよう構成される。
【０００６】
また、他の集中操作スイッチとして、図６に外観図、図７に機構図として示すジョイスティック式スイッチ２がある。図６及び図７に示すジョイスティック式スイッチ２は、ノブ（操作部）２１のレバー２２に垂直に配設された軸部２３にギヤ２４を配設するとともにこのギヤ２４にＤＣモータ（反力発生部）２５によって回転駆動可能な他のギヤ２６を噛み合わせ、乗員がノブ２１を傾動する操作を行なったとき、ロータリーエンコーダ（操作位置検出部）２７によって検出されるノブ２１のＸ軸方向の傾動角度に応じてＤＣモータ２５を駆動し、ギヤ２４，２６を介してノブ２１に反力を発生させるよう構成される。なお、乗員がノブ２１を傾動する操作を行なったとき、ノブ２１のＹ軸方向の傾動角度に応じて反力を発生させる機構も存在するが、この機構については図示を省略している。
【０００７】
さらに、他の集中操作スイッチとして、図８に分解斜視図として示す回転型スイッチ３がある。図８に示す回転型スイッチ３は、ダイヤル（操作部）３１側の可動プレート３２の裏面に固定したコイル（反力発生部）３３を、固定プレート３４に固定した磁石３５に対向配置させ、ダイヤル３１の回転角度に応じてコイル３３に電流を流し、ダイヤル３１に対して磁気に基づく反力を発生させるよう構成される。なお、ロータリーエンコーダ（操作位置検出部）は図示を省略してある。
【０００８】
そして、これらの集中操作スイッチは、例えば、図９に示すように、ダイヤル１１，３１又はノブ２１の回転角度又は傾動角度つまり操作部の位置に対してパターン１、パターン２に示すような軸トルク（反力）を発生するよう構成される。
【０００９】
本発明は、上述したような反力を発生可能な集中操作スイッチに着目し、この集中操作スイッチを用いることによって表示装置の選択画面に表示される多くの選択項目の内容を乗員にとって分かり易いものにすることができる車両用表示操作装置を提供することを目的とする。
【００１０】
【課題を解決するための手段】
請求項１に係る車両用表示操作装置は、
乗員によって位置を調節可能な操作部と、該操作部に連結し該操作部の位置を検出するための位置検出部と、前記操作部に連結し該操作部を任意の位置に移動させるための動力を発生可能な反力発生部とを有する入力装置、
乗員に対し車両用機器の動作を選択させるための選択画面を表示するとともに、前記選択画面上に、前記操作部の操作位置を示す位置マークを、前記位置検出部からの検出信号に基づいて決定される位置に表示する表示装置、
前記選択画面に対する操作方法についての説明を要求するために乗員によって操作される指示器、
前記選択画面に表示される複数の選択項目についての各案内情報と各選択項目の表示位置を示す表示位置情報とを予め対応付けて記憶する記憶部と、前記指示器から要求信号を受けたとき、前記記憶部から読み出した所定の選択項目の表示位置情報と前記位置検出部からの位置情報とに基づいて、前記所定の選択項目の表示位置に対応する位置まで前記操作部を移動させるための指令信号を前記反力発生部に対して出力し、該操作部の移動に伴い前記位置マークが前記所定の選択項目の表示位置まで移動してきたとき、前記記憶部から読み出した前記選択項目についての案内情報を出力する演算処理部とを有する制御装置、及び、
前記演算処理部から案内情報を入力し該案内情報を音声で乗員に知らせる音声発生装置
を備えることを特徴とする。
【００１１】
請求項１に係る車両用表示操作装置によると、乗員が表示装置に表示されている選択画面上の選択項目の内容が分からず、そのため指示器を操作すると、反力発生部によって操作部は移動を開始し、操作部の操作位置を示す位置マークが所定の選択項目の表示位置までくると、操作部は移動を停止する。そして、この所定の選択項目の内容が音声発生装置によって乗員に知らされる。したがって、乗員は、位置マークが示している選択項目の内容を耳を通して容易に知ることができ、この選択項目を選択決定した場合の車両用機器の動作を理解することが可能になる。
【００１２】
請求項２に係る車両用表示操作装置は、
乗員によって位置を調節可能な操作部と、該操作部に連結し該操作部の位置を検出するための位置検出部と、前記操作部に連結し該操作部を任意の位置に移動させるための動力を発生可能な反力発生部とを有する入力装置、
乗員に対し車両用機器の動作を選択させるための選択画面を表示するとともに、前記選択画面上に、前記操作部の操作位置を示す位置マークを、前記位置検出部からの検出信号に基づいて決定される位置に表示する表示装置、
前記選択画面に対する操作方法についての説明を要求するために乗員によって操作される指示器、
前記選択画面に表示される複数の選択項目についての各案内情報と各選択項目の表示位置を示す表示位置情報とを予め対応付けて記憶する記憶部と、前記指示器から要求信号を受けたとき、前記記憶部から読み出した所定の選択項目の表示位置情報と前記位置検出部からの位置情報とに基づいて、前記所定の選択項目の表示位置に対応する位置まで前記操作部を移動させるための指令信号を前記反力発生部に対して出力し、該操作部の移動に伴い前記位置マークが前記所定の選択項目の表示位置まで移動してきたとき、前記記憶部から読み出した前記選択項目についての案内情報を出力する演算処理部とを有する制御装置、及び、
前記演算処理部から案内情報を入力し該案内情報を音声で乗員に知らせる音声発生装置
を備え、
さらに、前記制御装置の前記演算処理部は、前記音声発生装置により案内情報が知らされている途中で前記選択決定部が操作されたとき、前記車両用機器に対し、当該案内情報に対応する選択項目に該当する動作をさせるための指示を行う
ことを特徴とする。
【００１３】
請求項２に係る車両用表示操作装置によると、請求項１に係る車両用表示操作装置と同様、乗員が表示装置に表示されている選択画面上の選択項目の内容が分からず、そのため指示器を操作すると、反力発生部によって操作部は移動を開始し、操作部の操作位置を示す位置マークが所定の選択項目の表示位置までくると、操作部は移動を停止する。そして、この所定の選択項目の内容についての案内情報が音声発生装置によって乗員に知らされる。したがって、乗員は、位置マークが示している選択項目の内容を耳を通して容易に知ることができ、この選択項目を選択決定した場合の車両用機器の動作を理解することが可能になる。さらに、請求項２に係る車両用表示操作装置によると、案内情報が知らされている途中で乗員が選択決定部を操作すると、車両用機器は、この選択項目に該当する動作を行なうようになるため、乗員は、その後の無意味な案内情報を聞く必要がなくなり、利便性に優れる。
【００１４】
【発明の実施の形態】
以下、本発明の実施形態を図面に基づいて説明する。
【００１５】
図１は、本発明の一実施形態に係る車両用表示操作装置のブロック図を示す。
【００１６】
図１において、車両用表示操作装置は、マイクロコンピュータからなり演算処理部５１、記憶部５２などを有する制御装置５０を中心に、入力装置６０、表示装置７０、音声発生装置８０、指示器９０などから構成される。
【００１７】
入力装置６０は、図５〜図９に示したような集中操作スイッチからなり、本実施形態の場合、ジョイスティック式スイッチを用いる。このジョイスティック式スイッチ６０は、図６及び図７に図示したスイッチ２と同様に構成されており、図１に概略的平面図として示したＸ軸方向及びＹ軸方向へ傾動操作されＸＹ座標位置が移動可能なノブ（操作部）２１と、このノブ２１に連結したレバー２２と、レバー２２のＸ軸方向への傾動角度を検出するためのロータリーエンコーダ（位置検出部）２７Ａと、レバー２２のＹ軸方向への傾動角度を検出するためのロータリーエンコーダ（位置検出部）２７Ｂと、駆動回路６１Ａによって駆動され、レバー２２をＸ軸方向へ移動させるための軸トルク（反力）を発生するＤＣモータ（反力発生部）２５Ａと、駆動回路６１Ｂによって駆動され、レバー２２をＹ軸方向へ移動させるための軸トルク（反力）を発生するＤＣモータ（反力発生部）２５Ｂとを備える。さらに、ジョイスティック式スイッチ６０は、ノブ２１の上端部に選択決定ボタン（選択決定部）２８を備えており、この選択決定ボタン２８は、後述するように、選択項目７４についての案内情報が音声で放送されている途中で操作されることによってこの選択項目７４を選択決定する入力スイッチである。
【００１８】
指示器９０は、後述するように、表示装置７０の選択画面７３に対する操作方法についての説明を要求する際に乗員によって操作されるＨＥＬＰキーである。
【００１９】
制御装置５０は、ロータリーエンコーダ２７Ａ，２７Ｂ、選択決定ボタン２８及び駆動回路６１Ａ，６１Ｂと接続され、ロータリーエンコーダ２７Ａ，２７Ｂからノブ２１のＸＹ座標位置を示す信号つまり位置情報を入力するとともに選択決定ボタン２８から選択決定信号を入力し、また、駆動回路６１Ａ，６１Ｂに対しノブ２１を移動させるための指令信号を出力する。
【００２０】
また、制御装置５０は、通信インターフェース（通信Ｉ／Ｆ）９１を介して、表示装置７０の描画電子制御回路（描画ＥＣＵ）７１及び音声発生装置８０と接続されている。
【００２１】
表示装置７０は、描画ＥＣＵ７１とディスプレイ７２とから構成され、描画ＥＣＵ７１に、ナビゲーションシステムの電子制御回路（ナビＥＣＵ）９２、オーディオ装置の電子制御回路（オーディオＥＣＵ）９３、エアコン装置の電子制御回路（エアコンＥＣＵ）９４などが接続されている。つまり、表示装置７０のディスプレイ７２には、ナビゲーションシステムの動作を選択するための選択画面、オーディオ装置の動作を選択するための選択画面、エアコン装置の動作を選択するための選択画面などが切替可能に表示される。図３は、ディスプレイ７２の選択画面の一例を示しており、この選択画面７３は、オーディオ装置のＡＭラジオの各放送局及び周波数など複数の選択項目を表示している。図３において、上端部の「ＡＭ…」の表示は現在選局されているラジオの放送局を表しており、その下方の「ＲＯＣＫ」、「ＤＳＰ」、「ＳＯＵＮＤ」、「○○○第１」、「○○○第２」、「××××放送」、「□□ラジオ」などの表示部分が選択項目７４に該当している。乗員は、これらの選択項目７４の中から任意の選択項目７４を選択決定することができる。
【００２２】
次に、制御装置５０の演算処理部５１が実行する主要な演算処理を図２のフローチャートに基づいて説明する。
【００２３】
制御装置５０は、所定の初期化（ステップＳ１）を行なった後、ＨＥＬＰキー９０など各種入力キーのうちいずれかの入力キーが乗員によって操作されるまで、入力キーのスキャンを繰り返し行なう（ステップＳ２，Ｓ３）。
【００２４】
乗員によって入力キーの操作が行なわれ、この操作された入力キーがＨＥＬＰキー９０である場合、まず、現在の画面データつまり表示装置７０のディスプレイ７２に現在表示されている選択画面７３のデータを描画ＥＣＵ７１から取得する（ステップＳ４，Ｓ５）。
【００２５】
次に、現在の画面に対応するＨＥＬＰデータつまり現在表示されている選択画面７３上の複数の選択項目７４の中から、最初に案内情報を乗員に知らせたい選択項目（第１の選択項目）７４についての案内情報を記憶部５２から読み出す（ステップＳ６）。なお、記憶部５２には、各選択画面７３毎に、各選択項目７４についての案内情報が予め記憶されている。
【００２６】
次に、現在のノブ２１の位置つまりＸＹ座標位置をロータリーエンコーダ２７Ａ，２７Ｂからの検出信号に基づいて演算する（ステップＳ７）。
【００２７】
次に、描画ＥＣＵ７１に対し、ステップＳ７で求めたノブ２１のＸＹ座標位置に基づいて、選択画面７３上にカーソルつまりノブ２１の位置を示す位置マークを描画させる指令信号を出力する（ステップＳ８）。
【００２８】
次に、現在のノブ２１のＸＹ座標位置から、選択画面７３上の第１の選択項目７４の表示位置に対応するノブ２１のＸＹ座標位置（目標位置）までの、ノブ２１の移動量を演算する（ステップＳ９）。
【００２９】
次に、ステップＳ９で求めたノブ２１の移動量に基づき、ノブ２１を現在のＸＹ座標位置から目標位置まで移動させるための指令信号を駆動回路６１Ａ，６１Ｂに出力する（ステップＳ１０）。駆動回路６１Ａ，６１Ｂは、指令信号を受けるとＤＣモータ２５Ａ，２５Ｂを駆動し、ノブ２１は目標位置まで移動する。このノブ２１の移動の間、ロータリーエンコーダ２７Ａ，２７Ｂからの検出信号に基づいてノブ２１の現在位置が逐次演算され、選択画面７３上の位置マークは、第１の選択項目７４に向かって移動し、ノブ２１が目標位置に到達したとき、位置マークは第１の選択項目７４を指示するようになる。
【００３０】
次に、第１の選択項目７４についての案内情報を音声発生装置８０に出力する（ステップＳ１１）。音声発生装置８０は、案内情報を音声で乗員に知らせる。これにより、乗員は、位置マークが指示している第１の選択項目７４の内容つまり操作方法を音声によって容易に知ることができる。
【００３１】
次に、次のＨＥＬＰデータつまり次に案内情報を知らせたい選択項目（第２の選択項目）７４についての案内情報を記憶部５２から読み出し（ステップＳ１２）、第２の選択項目７４について、上述した第１の選択項目７４に関するノブ２１の移動（ステップＳ７，Ｓ９，Ｓ１０）、位置マークの移動表示（ステップＳ８）、及び、案内情報の音声出力（ステップＳ１１）と同様な処理を行なう。
【００３２】
その後も各選択項目７４毎にノブ２１の移動、位置マークの移動表示、及び、案内情報の音声出力を行なった後、最後の選択項目７４についてのノブ２１の移動、位置マークの移動表示、及び、案内情報の音声出力が終了すると、ＨＥＬＰデータが無くなることからステップＳ１３の判定結果が「なし」となり、ステップＳ２に戻り、キー入力スキャンが行なわれる。
【００３３】
なお、ＨＥＬＰキー９０以外の入力キーが操作された場合は、その操作された入力キーがメニューキーであるときメニュー画面処理が行なわれ（ステップＳ１４、Ｓ１５）、ステップＳ２に戻る。
【００３４】
次に、上述した演算処理部５１による一連の処理の要部について、ディスプレイ７２に図３図示の選択画面７３が表示されている場合を例にとり、図４に基づいて具体的に説明する。
【００３５】
図３図示の選択画面７３の表示中に乗員がＨＥＬＰキー９０を操作すると、現在のノブ２１の位置に対応する選択画面７３上の位置にカーソル（位置マーク）７５を表示した後、ノブ２１を第１の選択項目７４の表示位置に対応する位置までＤＣモータ２５Ａ，２５Ｂにより移動させ、カーソル７５を第１の選択項目７４の表示位置まで移動表示させる（図４（Ａ）参照）。図４（Ａ）は、第１の選択項目７４が「ＤＳＰ」であり、カーソル７５が第１の選択項目７４である「ＤＳＰ」の表示位置にある状態を示している。また、図４（Ａ）において選択画面７３の右側には、このときのノブ２１の位置を図示している。そして、この表示状態において、音声発生装置８０からは「ＤＳＰ」についての案内情報が乗員に音声で知らされる。この放送内容は、例えば「このスイッチでは、デジタルサウンドプロセッサの設定ができます。音響効果や音場の設定などができます。」である。
【００３６】
この案内情報の放送が終了した後は、次に図４（Ｂ）に示すようにカーソル７５は第２の選択項目７４である「ＳＯＵＮＤ」の表示位置まで移動し、この選択項目７４についての案内情報が放送される。以後、図４（Ｃ）、図４（Ｄ）、図４（Ｅ）の順に選択画面７３上に表示されるカーソル７５の表示位置が移動し、上記と同様、各選択項目７４について音声で案内情報が放送される。
【００３７】
上記の如き具体例は、選択画面７３上の各選択項目７４についての案内情報の放送中、乗員が選択決定ボタン２８を操作しなかった場合について説明したが、この放送中に選択決定ボタン２８が操作された場合は、このときの選択項目７４が選択決定され、演算処理部５１は、車両用機器に対し、当該案内情報に対応する選択項目７４に該当する動作をさせるための指示を行う。例えば、図４（Ａ）に示すようにカーソル７５が「ＤＳＰ」の表示位置にあり、この「ＤＳＰ」についての案内情報が放送されている途中で乗員が選択決定ボタン２８を操作したときには、「ＤＳＰ」が選択決定され、以後、案内情報は放送されない。
【００３８】
以上説明したように、本実施形態に係る車両用表示操作装置は、
乗員によって位置を調節可能な操作部（ノブ２１）と、操作部２１に連結し操作部２１の位置を検出するための位置検出部（ロータリーエンコーダ２７Ａ，２７Ｂ）と、操作部２１に連結し操作部２１を任意の位置に移動させるための動力を発生可能な反力発生部（ＤＣモータ２５Ａ，２５Ｂ）とを有する入力装置６０、
乗員に対し車両用機器の動作を選択させるための選択画面７３を表示するとともに、選択画面７３上に、操作部２１の位置を示す位置マーク（カーソル７５）を、位置検出部２７Ａ，２７Ｂからの検出信号に基づいて決定される位置に表示する表示装置７０、
選択画面７３に対する操作方法についての説明を要求するために乗員によって操作される指示器（ＨＥＬＰキー９０）、
選択画面７３に表示される複数の選択項目７４についての各案内情報と各選択項目７４の表示位置を示す表示位置情報とを予め対応付けて記憶する記憶部５２と、指示器９０から要求信号を受けたとき、記憶部５２から読み出した所定の選択項目７４の表示位置情報と位置検出部２７Ａ，２７Ｂからの位置情報とに基づいて、所定の選択項目７４の表示位置に対応する位置まで操作部２１を移動させるための指令信号を反力発生部２５Ａ，２５Ｂに対して出力し、操作部２１の移動に伴い位置マーク７５が所定の選択項目７４の表示位置まで移動してきたとき、記憶部５２から読み出した選択項目７４についての案内情報を出力する演算処理部５１とを有する制御装置５０、及び、
演算処理部５１から案内情報を入力し案内情報を音声で乗員に知らせる音声発生装置８０
を備える。
【００３９】
本実施形態に係る車両用表示操作装置によると、乗員が表示装置７０に表示されている選択画面７３上の選択項目７４の内容が分からず、そのため指示器９０を操作すると、反力発生部２５Ａ，２５Ｂによって操作部２１は移動を開始し、操作部２１の位置を示す位置マーク７５が所定の選択項目７４の表示位置までくると、操作部２１は移動を停止する。そして、この所定の選択項目７４の内容が音声発生装置８０によって乗員に知らされる。したがって、乗員は、位置マーク７５が示している選択項目の内容を耳を通して容易に知ることができ、この選択項目７４を選択決定した場合の車両用機器の動作を理解することが可能になる。
【００４０】
さらに、制御装置５０の演算処理部５１は、音声発生装置８０により案内情報が知らされている途中で選択決定部（選択決定ボタン２８）が操作されたとき、車両用機器に対し、当該案内情報に対応する選択項目７４に該当する動作をさせるための指示を行い、車両用機器は、この選択項目に該当する動作を行なうようになるため、乗員は、その後の無意味な案内情報を聞く必要がなくなり、利便性に優れる。
【００４１】
【発明の効果】
本発明の車両用表示操作装置によると、反力を発生可能な集中操作スイッチを用いることにより、表示装置の選択画面に表示される多くの選択項目の内容を乗員にとって分かり易いものにすることができる。
【図面の簡単な説明】
【図１】本発明の一実施形態に係る車両用表示操作装置のブロック図である。
【図２】制御装置の演算処理部の主要な処理内容を表したフローチャートである。
【図３】選択画面の表示例である。
【図４】選択画面の遷移図である。
【図５】反力を発生する集中操作スイッチの機構図である。
【図６】他の集中操作スイッチの外観図である。
【図７】同スイッチの機構図である。
【図８】さらに他の集中操作スイッチの分解斜視図である。
【図９】反力パターン図である。
【符号の説明】
２１    操作部（ノブ）
２５Ａ，２５Ｂ    反力発生部（ＤＣモータ）
２７Ａ，２７Ｂ    位置検出部（ロータリーエンコーダ）
２８    選択決定部（選択決定ボタン）
５０    制御装置
５１    演算処理部
５２    記憶部
６０    入力装置
７０    表示装置
７３    選択画面
７４    選択項目
７５    位置マーク（カーソル）
８０    音声発生装置
９０    指示器（ＨＥＬＰキー）
【図１】
2004262407.tif 000003
【図２】
2004262407.tif 000004
【図３】
2004262407.tif 000005
【図４】
2004262407.tif 000006
【図５】
2004262407.tif 000007
【図６】
2004262407.tif 000008
【図７】
2004262407.tif 000009
【図８】
2004262407.tif 000010
【図９】
2004262407.tif 000011